(57)【要約】【課題】描画処理に伴う負荷を軽減することが可能な画像表示装置を提供する。【解決手段】駆動回路２３は、画像信号処理部２２から入力される画像信号に基づいて電気泳動装置４０を駆動し、画像信号に基づいた画像を電気泳動装置４０に形成させる。電気泳動装置４０は、表示画像保持性能（メモリ性）を有しているため、駆動電圧の印加によって一度画像が形成されると、駆動電圧の印加を解除した後もしばらくの間、画像を保持することが可能になっている。電気泳動装置４０は、照明装置３０からの照明光を受け、形成された画像に応じた反射光（画像光）を射出する。この画像光は、投写レンズ７０によって、外部のスクリーンＳＣ等に拡大投写される。【選択図】図１
2008216525.tif 000002
【特許請求の範囲】
【請求項１】
高反射率の表面を有する電気泳動粒子が低反射率の液相分散媒中に分散された電気泳動分散液を有し、当該電気泳動分散液に対して、マトリクス状に配列された画素毎に電界を印加可能に形成された電気泳動装置と、
入力される画像信号に基づいて、前記電気泳動装置に対して前記画素毎に電界を印加し、前記電気泳動分散液内における前記電気泳動粒子の位置を前記画素毎に制御して画像を形成する駆動回路と、
前記電気泳動装置に向けて光を射出する照明装置と、
前記照明装置から射出されて前記電気泳動装置で反射された光を拡大投写する投写光学系と、
を備えたことを特徴とする画像表示装置。
【請求項２】
請求項１に記載の画像表示装置であって、
前記駆動回路は、マトリクス状に配列された前記画素のうち、一部の範囲内の画素に対してのみ電界を印加する部分駆動手段を備えたことを特徴とする画像表示装置。
【請求項３】
請求項１に記載の画像表示装置であって、さらに、
前記投写光学系から投写される前記画像を背面側で受光し、前面側に透過して表示する透過型スクリーンと、
前記透過型スクリーンに投写される前記画像とは異なる画像を、前記電気泳動装置よりも速い応答速度で表示する表示手段と、
を備えたことを特徴とする画像表示装置。
【発明の詳細な説明】
【技術分野】
【０００１】
本発明は、入力される画像信号に基づいた画像を表示する画像表示装置に関する。
【背景技術】
【０００２】
画像表示装置であるプロジェクタは、光を射出する光源（発光管等）と、この光源から射出された光を画像信号に応じて変調し、画像を形成する光変調装置（電気光学変調装置）と、形成された画像を投写する投写光学系とを備えている。光変調装置としては、透過型或いは反射型の液晶表示装置や、マイクロミラー型変調装置が一般に用いられている（例えば、特許文献１参照）。
液晶表示装置は、入力される画像信号に基づいて、光源光の偏光方向を、マトリクス状に配列された多数の画素電極（画素）毎に変化させて画像を形成するものであり、マイクロミラー型変調装置は、入力される画像信号に基づいて、光源光の反射角度を、マトリクス状に配列された多数のマイクロミラー（画素）毎に変化させて画像を形成する。
【０００３】
【特許文献１】特開２００５−１１５０７０号公報
【発明の開示】
【発明が解決しようとする課題】
【０００４】
しかしながら、上記のようなプロジェクタでは、動きのない静止画像や、動きの少ない動画像を投写する場合でも、常に光変調装置を駆動して、所定の周波数（例えば、６０Ｈｚ）で画像を描画し続ける必要がある。このため、解像度が高く画素数が多い光変調装置を用いたプロジェクタほど、描画に伴う負荷が増すことになり、描画を行うための回路に高い処理能力が要求されるようになる。この結果、装置が高価になってしまったり、高速処理に伴う回路の発熱を抑えるために、大型の冷却機構が必要になってしまったりするという問題を有している。
【０００５】
本発明は上記問題に鑑みてなされたものであり、その目的は、描画処理に伴う負荷を軽減することが可能な画像表示装置を提供することにある。
【課題を解決するための手段】
【０００６】
本発明の画像表示装置は、高反射率の表面を有する電気泳動粒子が低反射率の液相分散媒中に分散された電気泳動分散液を有し、当該電気泳動分散液に対して、マトリクス状に配列された画素毎に電界を印加可能に形成された電気泳動装置と、入力される画像信号に基づいて、前記電気泳動装置に対して前記画素毎に電界を印加し、前記電気泳動分散液内における前記電気泳動粒子の位置を前記画素毎に制御して画像を形成する駆動回路と、前記電気泳動装置に向けて光を射出する照明装置と、前記照明装置から射出されて前記電気泳動装置で反射された光を拡大投写する投写光学系と、を備えたことを特徴とする。
【０００７】
この画像表示装置によれば、電気泳動装置に収容された電気泳動分散液には、低反射率の液相分散媒と、この液相分散媒中に分散された高反射率の電気泳動粒子とが含まれている。そして、この電気泳動装置を画像信号に応じて駆動（電界の印加）するとともに、この電気泳動装置に光を反射させて、その反射光を投写するようにしている。電気泳動装置は、電界の印加によって電気泳動分散液中の電気泳動粒子の位置を定めると、電界の印加を解除した後もその位置を保持することができるため、一度形成した画像を形成（描画）し直す頻度を低減することが可能となり、描画処理に伴う負荷を軽減することが可能となる。
【０００８】
この画像表示装置において、前記駆動回路は、マトリクス状に配列された前記画素のうち、一部の範囲内の画素に対してのみ電界を印加する部分駆動手段を備えることが望ましい。
【０００９】
この画像表示装置によれば、駆動回路が、マトリクス状に配列された画素のうち、一部の範囲内の画素に対してのみ電界を印加することが可能であるため、画像の一部の範囲について表示内容を変更する際には、描画処理に伴う負荷をさらに軽減することが可能となる。
【００１０】
この画像表示装置において、さらに、前記投写光学系から投写される前記画像を背面側で受光し、前面側に透過して表示する透過型スクリーンと、前記透過型スクリーンに投写される前記画像とは異なる画像を、前記電気泳動装置よりも速い応答速度で表示する表示手段と、を備えるようにしてもよい。
【００１１】
この画像表示装置によれば、電気泳動装置で形成された画像を表示する透過型スクリーンと、電気泳動装置よりも速い応答速度で画像を表示可能な表示手段とを備えているため、表示すべき画像のうち、高速応答を要する画像については、表示手段に表示させ、高速応答を要しない画像については、透過型スクリーンに表示させることが可能となる。この結果、表示すべき画像全体を、高速応答の表示手段のみで表示する場合に比べて、描画処理に伴う負荷を軽減することが可能となる。
【発明を実施するための最良の形態】
【００１２】
（第１実施形態）
以下、本発明に係る画像表示装置の第１実施形態として、光源から射出された光を画像信号に応じて変調し、この変調光を外部のスクリーン等に拡大投写して画像を表示するプロジェクタについて説明する。
図１は、本実施形態に係るプロジェクタの概略構成を示すブロック図である。
図１に示すように、プロジェクタ１は、画像の投写を行う画像投写部１０、制御部２０、入力操作部２１、画像信号処理部２２、駆動回路２３等を備えており、画像投写部１０は、照明装置３０、光変調装置としての電気泳動装置４０、投写光学系としての投写レンズ７０等によって構成されている。
【００１３】
制御部２０は、ＣＰＵ（Central Processing Unit）、フラッシュメモリ等からなるＲＯＭ（Read Only Memory）、各種データの一時記憶等に用いられるＲＡＭ（Random Access Memory）等（いずれも図示せず）を備え、コンピュータとして機能するものである。制御部２０は、ＣＰＵがＲＯＭに記憶されている制御プログラムに従って動作することにより、プロジェクタ１の動作を統括制御する。
【００１４】
入力操作部２１は、プロジェクタ１に対して各種指示を行うための複数の操作キーを備えており、ユーザが入力操作部２１の各操作キーを操作すると、入力操作部２１は、ユーザの操作内容に応じた操作信号を制御部２０に出力する。なお、遠隔操作が可能なリモコン（図示せず）を入力操作部２１として備えた構成としてもよい。この場合、リモコンは、ユーザの操作内容に応じた赤外線の操作信号を発し、図示しないリモコン信号受信部がこれを受信して制御部２０に伝達する。
【００１５】
画像信号処理部２２は、外部から入力された画像信号に対して、データ形式の変換や、解像度を電気泳動装置４０の解像度（画素数）に合わせる解像度変換、輝度調整、コントラスト調整、シャープネス調整等の各種画像処理を施し、処理後の画像信号を駆動回路２３に出力する。
【００１６】
駆動回路２３は、この画像信号に基づいて電気泳動装置４０を駆動し、画像信号に基づいた画像を電気泳動装置４０に形成させる。電気泳動装置４０は、照明装置３０からの照明光を受け、形成された画像に応じた反射光（画像光）を射出する。この画像光は、投写レンズ７０によって、外部のスクリーンＳＣ等に拡大投写される。
【００１７】
次に、プロジェクタ１の光変調装置である電気泳動装置４０の構成について説明する。
電気泳動装置４０は、電気泳動現象を利用した画像形成装置であって、外部から入力される画像信号に応じた画像を形成することができる。電気泳動装置４０は、表示画像保持性能（メモリ性）を有しているため、駆動電圧の印加によって一度画像が形成されると、駆動電圧の印加を解除した後もしばらくの間、画像を保持することが可能になっている。ここで、電気泳動現象とは、帯電した微粒子（電気泳動粒子）を液相分散媒中に分散させた分散液に電界を印加したときに、微粒子がクーロン力により泳動する現象である。
【００１８】
図２は、電気泳動装置４０及び駆動回路２３の回路構成を示すブロック図である。
図２に示すように、電気泳動装置４０は、マトリクス状に配列された複数の画素４１を有しており、各画素４１は、Ｙ方向に沿って平行に配置された複数（ｍ本）のデータ線Ｘ１〜Ｘｍと、Ｘ方向に沿って平行に配置された複数（ｎ本）の走査線Ｙ１〜Ｙｎとが交差する部位毎に形成されている。
【００１９】
各画素４１には、電気泳動分散液４２と、その電気分極状態を保持するための容量素子４３と、スイッチング動作を行って容量素子４３に電荷を蓄積するためのトランジスタ４４とが含まれている。なお、本図では、電気泳動分散液４２を、等価的に容量素子として表している。トランジスタ４４のゲートには、走査線Ｙ１〜Ｙｎが接続され、トランジスタ４４のソースには、データ線Ｘ１〜Ｘｍが接続されている。また、トランジスタ４４のドレインと接地電位の間には、電気泳動分散液４２及び容量素子４３が並列に接続されている。
【００２０】
図３は、電気泳動装置４０の略一画素分の断面を示す拡大断面図である。
図３に示すように、電気泳動装置４０は、ガラスやＰＥＴ（Polyethylene Terephthalate）等からなる基板５０上に形成されている。この基板５０上には、トランジスタ４４、及びトランジスタ４４のドレインに接続された電極５１が形成されている。これらの上面は、樹脂層５２で覆われており、樹脂層５２の上面には、電気泳動分散液層５３が形成されている。電気泳動分散液層５３には、電気泳動分散液４２が封入されたマイクロカプセル５３ａが多数配置されている。
【００２１】
このマイクロカプセル５３ａ内の電気泳動分散液４２には、液相分散媒６１と、この液相分散媒６１内に分散された電気泳動粒子６２とが含まれている。本実施形態では、液相分散媒６１は、光反射率が低くなるよう黒色、或いはこれに近い暗色に着色されており、電気泳動粒子６２は、その表面に鏡面状の金属膜が形成されており、光反射率が高くなっている。
【００２２】
電気泳動分散液層５３の上面には、ＩＴＯからなる透明電極５４が形成され、さらに、その上面は、透明なＰＥＴフィルム５５で保護されている。このＰＥＴフィルム５５を備えた面には、照明装置３０から照明光が照射され、その反射光は、投写レンズ７０に向けて射出される。なお、図３では図示を省略しているが、透明電極５４は接地されており、電極５１と透明電極５４との間には、容量素子４３が接続されている。
【００２３】
図２に戻って、駆動回路２３は、それぞれＴＦＴ（Thin Film Transistor）等からなる走査線駆動回路２３ａ、及びデータ線駆動回路２３ｂによって構成されている。走査線駆動回路２３ａは、走査線Ｙ１〜Ｙｎに接続され、制御部２０からの制御信号に基づいて、複数の走査線Ｙ１〜Ｙｎの中から１本の走査線に走査信号を出力する。データ線駆動回路２３ｂは、データ線Ｘ１〜Ｘｍに接続され、制御部２０からの制御信号、及び画像信号処理部２２からの画像信号に基づき、走査信号の出力に同期して、各データ線Ｘ１〜Ｘｍに画像信号に応じたデータ信号を供給する。各画素４１のトランジスタ４４のうち、ゲートに走査信号が与えられたトランジスタ４４はオン状態になり、容量素子４３に、データ線Ｘ１〜Ｘｍから与えられたデータ信号に応じた電荷が蓄積されるとともに、電気泳動分散液４２が電気分極状態に移行する。その後、トランジスタ４４がオフ状態になっても、容量素子４３に蓄積された電荷によって電気泳動分散液４２の電気分極状態が所定期間保たれる。これをすべての走査線Ｙ１〜Ｙｎで繰り返すことにより、すべての画素４１に画像信号に応じた画像を形成することができる。
【００２４】
次に、電気泳動装置４０の動作原理について説明する。
図４は、電気泳動装置４０の動作原理を示す模式図であり、（ａ）は、電気泳動装置４０に駆動電圧が印加されていない状態を示す図、（ｂ）は、電気泳動装置４０に駆動電圧が印加された状態を示す図、（ｃ）は、電気泳動装置４０に（ｂ）とは逆方向の駆動電圧が印加された状態を示す図である。なお、これらの図には、簡易的に１つの画素４１のみの状態を示している。
図４（ａ）に示すように、電極５１と透明電極５４との間に挟まれた電気泳動分散液４２には、黒色で低反射率の液相分散媒６１と、高反射率の電気泳動粒子６２とが含まれており、この電気泳動粒子６２は、正に帯電している。
【００２５】
電極５１は、互いに逆方向の駆動電圧を印加するための２つの電圧源６５ａ，６５ｂに接続されており、接地された透明電極５４は、スイッチング回路６６によってこれら２つの電圧源６５ａ，６５ｂのいずれか一方と導通が取れるようになっている。このスイッチング回路６６の切り換えによって、電極５１に印加される駆動電圧の正負、即ち電気泳動分散液４２に印加される駆動電圧の方向を変えることが可能となり、印加する駆動電圧の方向を変えることによって、電気泳動分散液４２の電気分極状態を切り換えることができる。
【００２６】
図４（ｂ）に示すように、透明電極５４を電圧源６５ａに接続すると、電極５１は正極となり、正に帯電した電気泳動粒子６２は、照明光が入射する透明電極５４側に移動する。この電気分極状態では、画素４１に入射する照明光のほとんどは、電気泳動粒子６２で反射して、投写レンズ７０に向けて射出される。
【００２７】
一方、図４（ｃ）に示すように、透明電極５４を電圧源６５ｂに接続すると、電極５１は負極となり、正に帯電した電気泳動粒子６２は、電極５１側に移動する。この電気分極状態では、画素４１に入射する照明光のほとんどは、液相分散媒６１で吸収される。
【００２８】
ここで、電極５１が正極となる状態は、図２において、データ線に正の駆動電圧を持ったデータ信号を供給するとともに、走査線に走査信号を送ってトランジスタ４４をオンにした状態に相当し、電極５１が負極になる状態は、データ線に負の駆動電圧を持ったデータ信号を供給するとともに、走査線に走査信号を送ってトランジスタ４４をオンにした状態に相当する。
【００２９】
このように、マイクロカプセル５３ａ内の電気泳動分散液４２を電気分極させることによって、照明光の反射状態を切り換えることができるので、すべての画素４１に上記のような構成を備えることにより、所望の画像を形成することが可能となる。
【００３０】
なお、駆動電圧の印加により、容量素子４３に所定量の電荷が蓄積されると、電気泳動分散液４２は電気分極状態になるとともに、所定期間、表示内容を保持することができる。つまり、容量素子４３は、形成された画像を保持するための表示内容保持手段として機能する。駆動電圧を印加してから、時間経過に伴う放電等によって表示が消えるまでの保持期間は、駆動電圧の印加によって蓄積する電荷の量に依存し、蓄積する電荷の量は、容量素子４３の静電容量に依存する。ただし、容量素子４３に蓄積される電荷の量が容量素子４３の静電容量に至るまでの段階では、駆動電圧を印加する時間が長いほど、蓄積する電荷の量が増えることになるため、駆動電圧を印加する時間を制御することによって、電気泳動装置４０の表示保持期間を制御することができる。
【００３１】
図５は、画像投写部１０の詳細構成を示す構成図であり、光源から射出された光がスクリーンに至るまでの光路を示している。
図５に示すように、画像投写部１０は、照明装置３０、平行化レンズ３６、偏光ビームスプリッタ３７、１／４波長位相差板３８、電気泳動装置４０、投写レンズ７０等を有しており、照明装置３０は、光源としてのランプユニット３１、第１のレンズアレイ３２、第２のレンズアレイ３３、偏光変換素子３４、重畳レンズ３５等を有している。
【００３２】
ランプユニット３１は、超高圧水銀ランプやメタルハライドランプ等の放電型光源ランプからなる光源ランプ３１ａを有しており、椀状のリフレクタ３１ｂがその周囲を囲むように備えられている。リフレクタ３１ｂは、その内面が回転楕円体状、或いは回転放物面体状に形成された凹状の反射面になっており、光源ランプ３１ａが放射する光束を、その開口方向にある第１のレンズアレイ３２に向けて略一方向に反射する。
【００３３】
第１のレンズアレイ３２及び第２のレンズアレイ３３は、小レンズ形状の複数のセルがマトリクス状に形成されたフライアイレンズであり、第１のレンズアレイ３２の各セルと第２のレンズアレイ３３の各セルとは１対１に対応している。第１のレンズアレイ３２は、ランプユニット３１から射出された光束を、各セルによって複数の部分光束に分割し、第２のレンズアレイ３３の対応するセルに向けて射出する。第２のレンズアレイ３３は、重畳レンズ３５とともに、入射する部分光束のそれぞれを、照明対象である電気泳動装置４０の全体に照射する。このため、各部分光束が電気泳動装置４０上で重畳されることになり、電気泳動装置４０の全体が略均一に照明される。
【００３４】
偏光変換素子３４は、第２のレンズアレイ３３と重畳レンズ３５との間に備えられ、ランプユニット３１からの光を、特定の偏光方向を有する偏光光（本実施形態では、ｓ偏光）に揃える機能を有している。具体的には、偏光変換素子３４は、偏光ビームスプリッタアレイと１／２波長位相差板によって構成され、偏光ビームスプリッタアレイによって入射光をｓ偏光成分とｐ偏光成分に分離するとともに、ｐ偏光成分のみ１／２波長位相差板を経由させることにより、入射光のほとんどをｓ偏光光として射出する。
【００３５】
照明装置３０から射出されるｓ偏光光は、平行化レンズ３６によって平行化された後、偏光ビームスプリッタ３７に入射する。
偏光ビームスプリッタ３７は、その対角を結ぶ位置に、偏光ビームスプリッタ膜３７ａを備えており、その偏光ビームスプリッタ膜３７ａが光軸に対して４５°傾いた状態となるように配置されている。偏光ビームスプリッタ膜３７ａは、特定の偏光方向の光（本実施形態では、ｓ偏光）を反射し、異なる偏光方向の光（ｐ偏光）を透過する特性を有している。このため、照明装置３０から入射する光のほとんどは、偏光ビームスプリッタ膜３７ａで反射して光路が９０°折り曲げられ、電気泳動装置４０に向かう。
【００３６】
偏光ビームスプリッタ膜３７ａで反射した光は、１／４波長位相差板３８を経由して電気泳動装置４０に垂直に入射し、電気泳動装置４０に形成された画像に応じて反射する。即ち、駆動回路２３によって電極５１が正極となった画素４１については、透明電極５４側に移動した電気泳動粒子６２に光が反射し、電極５１が負極となった画素４１については、光は液相分散媒６１に吸収される。電気泳動装置４０からの反射光（画像光）は、再び１／４波長位相差板３８を経由して偏光ビームスプリッタ３７に戻る。
【００３７】
偏光ビームスプリッタ３７に戻った光は、往路及び復路で計２回、１／４波長位相差板３８を通過していることになるため、偏光ビームスプリッタ３７にはｐ偏光光となって入射する。このため、偏光ビームスプリッタ膜３７ａを透過して投写レンズ７０に向かい、投写レンズ７０からスクリーンＳＣに拡大投写される。
【００３８】
以上説明したように、本実施形態のプロジェクタ１によれば、以下の効果を得ることができる。
本実施形態のプロジェクタ１によれば、電気泳動装置４０に収容された電気泳動分散液４２には、低反射率の液相分散媒６１と、この液相分散媒６１中に分散された高反射率の電気泳動粒子６２とが含まれている。そして、この電気泳動装置４０を画像信号に応じて駆動（電界の印加）して電気泳動分散液４２を電気分極状態にするとともに、この電気泳動装置４０に光を反射させて、その反射光を投写するようにしている。電気泳動装置４０（電気泳動分散液４２）は、電界の印加によって電気分極状態となると、電界の印加を解除した後もその状態を保持することができるため、一度形成した画像を形成（描画）し直す頻度を低減することが可能となり、描画処理に伴う負荷を軽減することが可能となる。
【００３９】
（第２実施形態）
以下、本発明の第２実施形態について、図面を参照して説明する。
本実施形態のプロジェクタは、複数の電気泳動装置４０を用いることにより、多色（カラー）の画像を形成することができるようになっている。
【００４０】
図６は、本実施形態に係るプロジェクタ１の画像投写部１０の概略構成を示す構成図であり、光源から射出された光がスクリーンに至るまでの光路を示している。
図６に示すように、画像投写部１０は、前記第１実施形態と同一構成を有する照明装置３０と、平行化レンズ３６、偏光ビームスプリッタ３７、１／４波長位相差板３８、ダイクロイックプリズム３９、３つの電気泳動装置４０Ｒ，４０Ｇ，４０Ｂ、投写レンズ７０等を有している。
【００４１】
照明装置３０から射出されるｓ偏光光は、平行化レンズ３６によって平行化された後、偏光ビームスプリッタ３７に入射する。
本実施形態の偏光ビームスプリッタ３７の偏光ビームスプリッタ膜３７ａは、ｓ偏光光を透過し、ｐ偏光光を反射する特性を有しており、平行化レンズ３６から入射したｓ偏光光は、偏光ビームスプリッタ膜３７ａを透過する。
【００４２】
偏光ビームスプリッタ膜３７ａを透過した光は、１／４波長位相差板３８を経由してダイクロイックプリズム３９に入射する。
ダイクロイックプリズム３９は、互いに形状が異なる３つのプリズム３９ａ，３９ｂ，３９ｃが組み合わされて構成されている。プリズム３９ａ，３９ｂは、ともに三角柱状であり、両者の間には、僅かな空隙（図示せず）が設けられている。プリズム３９ｃは、四角柱状であり、プリズム３９ｂに当接している。プリズム３９ａには、プリズム３９ｂと近接する面上に、青色光を反射してそれよりも長波長域の色光を透過させる青色光反射ダイクロイック膜３９Ｂが形成されており、プリズム３９ｂには、プリズム３９ｃと接する面上に、赤色光を反射してそれよりも短波長域の色光を透過させる赤色光反射ダイクロイック膜３９Ｒが形成されている。
【００４３】
ダイクロイックプリズム３９は、上記のような構成を有しているため、ダイクロイックプリズム３９に入射した光のうち、青色光は、青色光反射ダイクロイック膜３９Ｂで反射した後、入射面で内面全反射し、青色光用の電気泳動装置４０Ｂに入射する。また、青色光反射ダイクロイック膜３９Ｂを透過した光のうち、赤色光は、赤色光反射ダイクロイック膜３９Ｒで反射した後、プリズム３９ａに近接する面で内面全反射し、赤色光用の電気泳動装置４０Ｒに入射する。青色光反射ダイクロイック膜３９Ｂ及び赤色光反射ダイクロイック膜３９Ｒを透過した緑色光は、プリズム３９ｃを抜けて緑色光用の電気泳動装置４０Ｇに入射する。
【００４４】
３つの電気泳動装置４０Ｒ，４０Ｇ，４０Ｂは、それぞれ、光の３原色である赤色、緑色、青色の画像を形成するためのものであり、いずれも前記第１実施形態における電気泳動装置４０と同一の構成を有している。駆動回路２３（図１、図２参照）は、各電気泳動装置４０Ｒ，４０Ｇ，４０Ｂを、画像信号に基づいて色別に駆動する。
【００４５】
各色光は、それぞれ電気泳動装置４０Ｒ，４０Ｇ，４０Ｂに形成された画像に応じて反射し、色光毎の画像光となる。この画像光は、前述した光路を逆行して進行する途中で合成され、カラーの画像光となってダイクロイックプリズム３９から射出される。合成された画像光は、１／４波長位相差板３８を経由して偏光ビームスプリッタ３７に戻る。
【００４６】
偏光ビームスプリッタ３７に戻ったカラーの画像光は、往路及び復路で計２回、１／４波長位相差板３８を通過していることになるため、偏光ビームスプリッタ３７にはｐ偏光光となって入射する。このため、偏光ビームスプリッタ膜３７ａで反射して投写レンズ７０に向かい、投写レンズ７０からスクリーンＳＣに拡大投写される。
【００４７】
以上説明したように、本実施形態のプロジェクタ１によれば、多色（カラー）の画像を投写することが可能になるとともに、前記第１の実施形態の効果と同様の効果を得ることができる。
【００４８】
（第３実施形態）
以下、本発明に係る画像表示装置の第３実施形態として、前記第１又は第２実施形態の画像投写部１０を内蔵した遊技機（パチンコ台）について説明する。本実施形態の遊技機は、所定のチャッカーにパチンコ球が入賞すると、制御装置によって抽選が行われ、大当たりとなると所定の入賞口が開く、いわゆるフィーバー機である。
図７は、本実施形態に係る遊技機を示す図であり、（ａ）は、正面図、（ｂ）は、側断面図である。
図７（ａ）、（ｂ）に示すように、遊技機２は、画像投写部１０と、遊技機２を統括制御する制御装置８０と、これらを収容する箱状の筐体８１と、筐体８１の正面に形成された開口部８１ａを閉塞する遊技盤８２と、遊技盤８２の正面側を被覆するガラス板（透光板）８３と、遊技盤８２の背面側を被覆する透過型スクリーン８４と、画像投写部１０からの投写光を反射する反射ミラー８５とを備えている。画像投写部１０の内部で電気泳動装置４０により形成された画像は、投写レンズ７０から画像光として射出され、反射ミラー８５で反射した後、透過型スクリーン８４の背面側に投写される。透過型スクリーン８４は、フレネルレンズシート等で構成され、背面で受光した画像を正面側に透過する。
【００４９】
遊技盤８２は、例えばポリカーボネート等の透光性材料にて形成されており、透過型スクリーン８４に投写された画像を、正面から視認できるようになっている。遊技盤８２とガラス板８３との間には、中央が略円形状にくり抜かれた略矩形板状のパネル８６が設けられており、パネル８６によって遊技盤８２の正面に略円形状の遊技面８２ａが区画形成されている。遊技面８２ａには、複数の釘８７が打ち込まれており、さらに、スタートチャッカー８８ａ、アタッカー（大入賞口）８８ｂ、チャッカー（入賞口）８８ｃ、アウト口８８ｄ、風車８８ｅ等の遊技用部品が配設されている。また、パネル８６の内側壁面左側には、パチンコ球の移動路８９が形成されており、筐体８１内部の打出装置（図示せず）によって打ち出されたパチンコ球は、移動路８９を通過して遊技面８２ａの上方に放出される。その後、パチンコ球は、遊技面８２ａとガラス板８３との間の空間内を落下移動し、各遊技用部品に衝突・入賞するようになっている。
【００５０】
遊技面８２ａの略中央に形成された開口部には、表示装置９０が嵌め込まれている。表示装置９０は、液晶パネルや有機ＥＬ（Electro-Luminescence）、ＬＥＤ（Light Emitting Diode）等、電気泳動装置４０よりも応答速度が速い表示デバイスを用いた表示手段であり、制御装置８０で行われた抽選結果に応じて、抽選状態を表示する画像や、リーチ状態を表示する画像、大当たり画像等を、高速に（例えば、６０Ｈｚ程度のフレーム周波数で）表示する。
【００５１】
遊技機２は、上記のように構成されており、遊技者は、表示装置９０の周囲の遊技面８２ａ上に表示される背景画像として、画像投写部１０から投写された画像を視認することができる。制御装置８０は、この背景画像が、所定の頻度（例えば、数秒〜数分）、或いは所定のタイミングで切り換わるように制御を行う一方で、表示装置９０による高速な画像表示を制御する。
【００５２】
以上説明したように、本実施形態の遊技機２によれば、前記第１の実施形態の効果に加えて、以下の効果を得ることができる。
本実施形態の遊技機２によれば、表示すべき画像のうち、高速応答を要する画像については、表示装置９０に表示させ、高速応答を要しない画像については、画像投写部１０によって遊技面８２ａに表示させることが可能となる。この結果、表示すべき画像全体を、高速応答の表示手段（表示装置９０）のみで表示する場合に比べて、描画処理に伴う負荷を軽減することが可能となる。
【００５３】
（変形例）
なお、本発明の実施形態は、以下のように変更してもよい。
【００５４】
前記第１〜第３実施形態において、駆動回路２３が、電気泳動装置４０に形成した画像（描画内容）の一部を変更する際に、マトリクス状に配列された複数の画素４１のうち、変更すべき部位を含む一部の範囲内の画素４１に対してのみ電界を印加可能な部分駆動手段を備えるようにしてもよい。例えば、ｎ本の走査線Ｙ１〜Ｙｎのうち、描画内容を変更すべき画素４１に接続された走査線（例えば、走査線Ｙ１〜Ｙｊ、ｊ＜ｍ）に対してのみ走査信号を出力するようにすれば、描画内容を変更しない画素４１に関しては電界が印加されることがなくなり、描画処理に伴う負荷をさらに軽減することが可能となる。
【００５５】
前記第１〜第３実施形態では、照明装置３０は、放電型の光源ランプ３１ａを備えたランプユニット３１を光源として用いているが、ＬＥＤや半導体レーザ等、他の光源を用いることも可能である。
【図面の簡単な説明】
【００５６】
【図１】第１実施形態に係るプロジェクタの概略構成を示すブロック図。
【図２】電気泳動装置及び駆動回路の回路構成を示すブロック図。
【図３】電気泳動装置の略一画素分の断面を示す拡大断面図。
【図４】電気泳動装置の動作原理を示す模式図であり、（ａ）は、電気泳動装置に駆動電圧が印加されていない状態を示す図、（ｂ）は、駆動電圧が印加された状態を示す図、（ｃ）は、（ｂ）とは逆方向の駆動電圧が印加された状態を示す図。
【図５】第１実施形態に係る画像投写部の詳細構成を示す構成図。
【図６】第２実施形態に係る画像投写部の概略構成を示す構成図。
【図７】第３実施形態に係る遊技機を示す図であり、（ａ）は、正面図、（ｂ）は、側断面図。
【符号の説明】
【００５７】
１…プロジェクタ、１０…画像投写部、２０…制御部、２１…入力操作部、２２…画像信号処理部、２３…駆動回路、２３ａ…走査線駆動回路、２３ｂ…データ線駆動回路、３０…照明装置、３１…ランプユニット、３１ａ…光源ランプ、３１ｂ…リフレクタ、３２…第１のレンズアレイ、３３…第２のレンズアレイ、３４…偏光変換素子、３５…重畳レンズ、３６…平行化レンズ、３７…偏光ビームスプリッタ、３７ａ…偏光ビームスプリッタ膜、３９…ダイクロイックプリズム、３９Ｂ…青色光反射ダイクロイック膜、３９Ｒ…赤色光反射ダイクロイック膜、３９ａ，３９ｂ，３９ｃ…プリズム、４０，４０Ｒ，４０Ｇ，４０Ｂ…電気泳動装置、４１…画素、４２…電気泳動分散液、４３…容量素子、４４…トランジスタ、５０…基板、５１…電極、５２…樹脂層、５３…電気泳動分散液層、５３ａ…マイクロカプセル、５４…透明電極、５５…ＰＥＴフィルム、６１…液相分散媒、６２…電気泳動粒子、６５ａ，６５ｂ…電圧源、６６…スイッチング回路、７０…投写レンズ、ＳＣ…スクリーン、Ｘ１〜Ｘｍ…データ線、Ｙ１〜Ｙｎ…走査線。
【図１】
2008216525.tif 000003
【図２】
2008216525.tif 000004
【図３】
2008216525.tif 000005
【図４】
2008216525.tif 000006
【図５】
2008216525.tif 000007
【図６】
2008216525.tif 000008
【図７】
2008216525.tif 000009